(57)【要約】  センサディスペンシング器具は、液の分析物濃度を測定するようになされ、また本体、キャップ、カートリッジ、試験センサレセプタクル、およびセンサ前進機構を備える。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、ユーザが試験センサを手動で取り外し、試験センサを試験センサレセプタクル中に配置できるようにする位置へと、１つずつ複数の試験センサを進ませるようになされる。センサディスペンシング器具はまた、ランセットを含む穿刺デバイスを含むことができる。
2008522786.tif 000002
【特許請求の範囲】
【請求項１】
液の分析物濃度を測定するようになされたセンサディスペンシング器具であって、
本体と、
開放位置と閉鎖位置の間を移動するようになされたキャップであり、前記キャップおよび前記本体が、前記閉鎖位置を形成すべく互いに合うようになされたキャップと、
複数の試験センサを含み、実質的に前記キャップ内に位置するカートリッジと、
試験センサレセプタクルと、
ユーザが前記試験センサを手動で取り外し、前記試験センサを前記試験センサレセプタクル中に配置できるようにする位置へと、１つずつ前記複数の試験センサを進ませるようになされたセンサ前進機構と、
ランセットを含む穿刺デバイスと
を備えるセンサディスペンシング器具。
【請求項２】
前記ランセットの発射を準備するようになされたコッキングデバイスをさらに含む、請求項１に記載のセンサディスペンシング器具。
【請求項３】
前記ランセットを発射するようになされた発射機構をさらに含む、請求項１に記載のセンサディスペンシング器具。
【請求項４】
前記穿刺デバイスが、前記試験センサレセプタクルに隣接している、請求項１に記載のセンサディスペンシング器具。
【請求項５】
前記穿刺デバイスが穿刺エンドキャップを含む、請求項１に記載のセンサディスペンシング器具。
【請求項６】
前記本体が、複数のランセット、試験センサ、またはカートリッジを保管するようになされた保管コンパートメントを形成する、請求項１に記載のセンサディスペンシング器具。
【請求項７】
前記複数のセンサが電気化学的センサである、請求項１に記載のセンサディスペンシング器具。
【請求項８】
前記複数のセンサが光学的センサである、請求項１に記載のセンサディスペンシング器具。
【請求項９】
前記キャップが、前記本体から取外し可能であるようになされる、請求項１に記載のセンサディスペンシング器具。
【請求項１０】
前記本体が、上部表面および底部表面を有し、前記キャップが、前記本体の前記上部表面および前記底部表面と合うようになされる、請求項１に記載のセンサディスペンシング器具。
【請求項１１】
前記キャップが、ヒンジを介して前記本体に結合される、請求項１に記載のセンサディスペンシング器具。
【請求項１２】
前記キャップが前記閉鎖位置にないとき、ユーザに警告する検出機構をさらに含む、請求項１に記載のセンサディスペンシング器具。
【請求項１３】
前記閉鎖位置にある前記キャップが、前記複数の試験センサを見えるようにする、請求項１に記載のセンサディスペンシング器具。
【請求項１４】
前記キャップが窓を形成する、請求項１３に記載のセンサディスペンシング器具。
【請求項１５】
前記カートリッジがさらに、前記複数の試験センサについての較正情報を含む較正情報デバイスを含む、請求項１に記載のセンサディスペンシング器具。
【請求項１６】
前記複数の試験ストリップが、前記キャップ内で水平に積み重ねられる、請求項１に記載のセンサディスペンシング器具。
【請求項１７】
前記複数の試験ストリップが、前記キャップ内で垂直に積み重ねられる、請求項１に記載のセンサディスペンシング器具。
【請求項１８】
前記カートリッジが、完全に前記キャップ内に位置する、請求項１に記載のセンサディスペンシング器具。
【請求項１９】
前記試験センサレセプタクルから、前記複数の試験センサの１つを排出するようになされた排出機構をさらに含む、請求項１に記載のセンサディスペンシング器具。
【請求項２０】
前記キャップが跳ね上げ蓋機構を含む、請求項１に記載のセンサディスペンシング器具。
【請求項２１】
液の分析物濃度を測定するようになされたセンサディスペンシング器具であって、
本体と、
開放位置と閉鎖位置の間を移動するようになされたキャップであり、前記キャップおよび前記本体が、前記閉鎖位置を形成すべく互いに合うようになされたキャップと、
複数の試験センサを含み、実質的に前記キャップ内に位置するカートリッジと、
試験センサレセプタクルと、
ユーザが、前記試験センサを手動で取り外し、前記試験センサを前記試験センサレセプタクル中に配置できるようにする位置へと、１つずつ前記複数の試験センサを進ませるようになされたセンサ前進機構と
を備えるセンサディスペンシング器具。
【請求項２２】
前記複数のセンサが電気化学的センサである、請求項２１に記載のセンサディスペンシング器具。
【請求項２３】
前記複数のセンサが光学的センサである、請求項２１に記載のセンサディスペンシング器具。
【請求項２４】
前記キャップが、前記本体から取外し可能であるようになされる、請求項２１に記載のセンサディスペンシング器具。
【請求項２５】
前記本体が、上部表面および底部表面を有し、前記キャップが、前記本体の前記上部表面および前記底部表面と合うようになされる、請求項２１に記載のセンサディスペンシング器具。
【請求項２６】
前記キャップが、ヒンジを介して前記本体に結合される、請求項２１に記載のセンサディスペンシング器具。
【請求項２７】
前記キャップが前記閉鎖位置にないとき、ユーザに警告する検出機構をさらに含む、請求項２１に記載のセンサディスペンシング器具。
【請求項２８】
前記閉鎖位置にある前記キャップが、前記複数の試験センサを見えるようにする、請求項２１に記載のセンサディスペンシング器具。
【請求項２９】
前記キャップが窓を含む、請求項２８に記載のセンサディスペンシング器具。
【請求項３０】
前記カートリッジがさらに、前記複数の試験センサについての較正情報を含む較正情報デバイスを含む、請求項２１に記載のセンサディスペンシング器具。
【請求項３１】
前記複数の試験ストリップが、前記キャップ内で水平に積み重ねられる、請求項２１に記載のセンサディスペンシング器具。
【請求項３２】
前記複数の試験ストリップが、前記キャップ内で垂直に積み重ねられる、請求項２１に記載のセンサディスペンシング器具。
【請求項３３】
前記カートリッジが、完全に前記キャップ内に位置する、請求項２１に記載のセンサディスペンシング器具。
【請求項３４】
前記試験センサレセプタクルから、前記複数の試験センサの１つを排出するようになされた排出機構をさらに含む、請求項２１に記載のセンサディスペンシング器具。
【請求項３５】
前記キャップが跳ね上げ蓋機構を含む、請求項２１に記載のセンサディスペンシング器具。
【請求項３６】
液の分析物濃度を測定するようになされたセンサディスペンシング器具であって、
本体と、
開放位置と閉鎖位置の間を移動するようになされたキャップであり、前記キャップおよび前記本体が、前記閉鎖位置を形成すべく互いに合うようになされたキャップと、
複数の試験センサを含み、実質的に前記キャップ内に位置するカートリッジと、
試験センサレセプタクルと、
前記複数の試験センサを、自動的に、１つずつ前記試験センサレセプタクルへと進ませるようになされたセンサ前進機構と、
ランセットを含む穿刺デバイスと
を備えるセンサディスペンシング器具。
【請求項３７】
前記ランセットの発射を準備するようになされたコッキングデバイスをさらに含む、請求項３６に記載のセンサディスペンシング器具。
【請求項３８】
前記ランセットを発射するようになされた発射機構をさらに含む、請求項３６に記載のセンサディスペンシング器具。
【請求項３９】
前記穿刺デバイスが、前記試験センサレセプタクルに隣接している、請求項３６に記載のセンサディスペンシング器具。
【請求項４０】
前記穿刺デバイスが穿刺エンドキャップを含む、請求項３６に記載のセンサディスペンシング器具。
【請求項４１】
前記本体が、複数のランセット、試験センサ、またはカートリッジを保管するようになされた保管コンパートメントを形成する、請求項３６に記載のセンサディスペンシング器具。
【請求項４２】
前記複数の試験センサが電気化学的センサである、請求項３６に記載のセンサディスペンシング器具。
【請求項４３】
前記複数のセンサが光学的センサである、請求項３６に記載のセンサディスペンシング器具。
【請求項４４】
前記キャップが、前記本体から取外し可能であるようになされる、請求項３６に記載のセンサディスペンシング器具。
【請求項４５】
前記本体が、上部表面および底部表面を有し、前記キャップが、前記本体の前記上部表面および前記底部表面と合うようになされる、請求項３６に記載のセンサディスペンシング器具。
【請求項４６】
前記キャップが、ヒンジを介して前記本体に結合される、請求項３６に記載のセンサディスペンシング器具。
【請求項４７】
前記閉鎖位置にある前記キャップが、前記複数の試験センサを見えるようにする、請求項３６に記載のセンサディスペンシング器具。
【請求項４８】
前記キャップが窓を形成する、請求項４７に記載のセンサディスペンシング器具。
【請求項４９】
前記カートリッジがさらに、前記複数の試験センサについての較正情報を含む較正情報デバイスを含む、請求項３６に記載のセンサディスペンシング器具。
【請求項５０】
前記複数の試験ストリップが、前記キャップ内で垂直に積み重ねられる、請求項３６に記載のセンサディスペンシング器具。
【請求項５１】
前記試験センサレセプタクルから、前記複数の試験センサの１つを排出するようになされた排出機構をさらに含む、請求項３６に記載のセンサディスペンシング器具。
【請求項５２】
液の分析物濃度を測定するようになされたセンサディスペンシング器具であって、
本体と、
開放位置と閉鎖位置の間を移動するようになされたキャップであり、前記キャップおよび前記本体が、前記閉鎖位置を形成すべく互いに合うようになされたキャップと、
複数の試験センサを含み、実質的に前記キャップ内に位置するカートリッジと、
試験センサレセプタクルと、
前記複数の試験センサを、自動的に、１つずつ前記試験センサレセプタクルへと進ませるようになされたセンサ前進機構と
を備えるセンサディスペンシング器具。
【請求項５３】
前記複数の試験センサが電気化学的センサである、請求項５２に記載のセンサディスペンシング器具。
【請求項５４】
前記複数のセンサが光学的センサである、請求項５２に記載のセンサディスペンシング器具。
【請求項５５】
前記キャップが、前記本体から取外し可能であるようになされる、請求項５２に記載のセンサディスペンシング器具。
【請求項５６】
前記本体が、上部表面および底部表面を有し、前記キャップが、前記本体の前記上部表面および前記底部表面と合うようになされる、請求項５２に記載のセンサディスペンシング器具。
【請求項５７】
前記キャップが、ヒンジを介して前記本体に結合される、請求項５２に記載のセンサディスペンシング器具。
【請求項５８】
前記閉鎖位置にある前記キャップが、前記複数の試験センサを見えるようにする、請求項５２に記載のセンサディスペンシング器具。
【請求項５９】
前記キャップが窓を形成する、請求項５８に記載のセンサディスペンシング器具。
【請求項６０】
前記カートリッジがさらに、前記複数の試験センサについての較正情報を含む較正情報デバイスを含む、請求項５２に記載のセンサディスペンシング器具。
【請求項６１】
前記複数の試験ストリップが、前記キャップ内で垂直に積み重ねられる、請求項５２に記載のセンサディスペンシング器具。
【請求項６２】
前記試験センサレセプタクルから、前記複数の試験センサの１つを排出するようになされた排出機構をさらに含む、請求項５２に記載のセンサディスペンシング器具。
【請求項６３】
液の分析物濃度を測定するようになされたセンサディスペンシング器具を使用する方法であって、
本体、キャップ、カートリッジ、試験センサレセプタクル、センサ前進機構、ランセットを含む穿刺デバイスを含むセンサディスペンシング器具を提供する行為であり、前記キャップが、開放位置と閉鎖位置の間を移動するようになされ、前記キャップおよび前記本体が、前記閉鎖位置を形成すべく互いに合うようになされ、前記カートリッジが、複数の試験センサを含み、実質的に前記キャップ内に配置される行為と、
前記複数の試験センサを１つずつ進ませるように、前記センサ前進機構を活動化する行為と、
前記試験センサを手動で取り外して、前記試験センサレセプタクル中に配置する行為と、
前記ランセットを用いて液を生成する行為と、
前記液を前記試験センサ上に配置する行為と、
前記液の前記分析物濃度を測定する行為と
を含む方法。
【請求項６４】
前記ランセットを用いて、前記液を生成する前記行為が、コッキングデバイスを準備し、また発射機構を発射する行為を含む、請求項６３に記載の方法。
【請求項６５】
前記キャップが、前記本体から取外し可能であるようになされる、請求項６３に記載の方法。
【請求項６６】
前記本体が、上部表面および底部表面を有し、前記キャップが、前記本体の前記上部表面および前記底部表面と合うようになされる、請求項６３に記載の方法。
【請求項６７】
前記キャップが、ヒンジを介して前記本体に結合される、請求項６３に記載の方法。
【請求項６８】
前記センサディスペンシング器具が、前記キャップが前記閉鎖位置にないとき、ユーザに警告する検出機構を含む、請求項６３に記載の方法。
【請求項６９】
前記複数の試験ストリップが、前記キャップから水平に前進される、請求項６３に記載の方法。
【請求項７０】
前記複数の試験ストリップが、前記キャップから垂直に前進される、請求項６３に記載の方法。
【請求項７１】
前記試験センサを前記試験センサレセプタクルから排出機構を介して排出する行為をさらに含む、請求項６３に記載の方法。
【請求項７２】
前記キャップが跳ね上げ蓋機構を含む、請求項６３に記載の方法。
【請求項７３】
液の分析物濃度を測定するようになされたセンサディスペンシング器具を使用する方法であって、
本体、キャップ、カートリッジ、試験センサレセプタクル、センサ前進機構を含むセンサディスペンシング器具を提供する行為であり、前記キャップが、開放位置と閉鎖位置の間を移動するようになされ、前記キャップおよび前記本体が、前記閉鎖位置を形成すべく互いに合うようになされ、前記カートリッジが、複数の試験センサを含み、実質的に前記キャップ内に配置される行為と、
前記複数の試験センサを１つずつ進ませるように、前記センサ前進機構を活動化する行為と、
前記試験センサを手動で取り外して、前記試験センサレセプタクル中に配置する行為と、
前記液を前記試験センサ上に配置する行為と、
前記液の前記分析物濃度を測定する行為と
を含む方法。
【請求項７４】
前記本体が、上部表面および底部表面を有し、前記キャップが、前記本体の前記上部表面および前記底部表面と合うようになされる、請求項７３に記載の方法。
【請求項７５】
前記キャップが、ヒンジを介して前記本体に結合される、請求項７３に記載の方法。
【請求項７６】
前記センサディスペンシング器具が、前記キャップが前記閉鎖位置にないとき、ユーザに警告する検出機構をさらに含む、請求項７３に記載の方法。
【請求項７７】
前記複数の試験ストリップが、前記キャップから水平に前進される、請求項７３に記載の方法。
【請求項７８】
前記複数の試験ストリップが、前記キャップから垂直に前進される、請求項７３に記載の方法。
【請求項７９】
前記試験センサを前記試験センサレセプタクルから排出機構を介して排出する行為をさらに含む、請求項７３に記載の方法。
【請求項８０】
前記キャップが跳ね上げ蓋機構を含む、請求項７３に記載の方法。
【請求項８１】
液の分析物濃度を測定するようになされたセンサディスペンシング器具を使用する方法であって、
本体、キャップ、カートリッジ、試験センサレセプタクル、センサ前進機構、ランセットを含む穿刺デバイスを含むセンサディスペンシング器具を提供する行為であり、前記キャップが、開放位置と閉鎖位置の間を移動するようになされ、前記キャップおよび前記本体が、前記閉鎖位置を形成すべく互いに合うようになされ、前記カートリッジが、複数の試験センサを含み、実質的に前記キャップ内に配置される行為と、
前記センサ前進機構が前記複数の試験センサを１つずつ前記試験センサレセプタクルへと自動的に進ませるように、前記センサ前進機構を活動化する行為と、
前記ランセットを用いて液を生成する行為と、
前記液を前記試験センサ上に配置する行為と、
前記液の前記分析物濃度を測定する行為と
を含む方法。
【請求項８２】
前記ランセットを用いて前記液を生成する前記行為が、コッキングデバイスを準備し、また発射機構を発射する行為を含む、請求項８１に記載の方法。
【請求項８３】
前記キャップが、前記本体から取外し可能であるようになされる、請求項８１に記載の方法。
【請求項８４】
前記本体が、上部表面および底部表面を有し、前記キャップが、前記本体の前記上部表面および前記底部表面と合うようになされる、請求項８１に記載の方法。
【請求項８５】
前記キャップが、ヒンジを介して前記本体に結合される、請求項８１に記載の方法。
【請求項８６】
前記センサディスペンシング器具が、前記キャップが前記閉鎖位置にないとき、ユーザに警告する検出機構を含む、請求項８１に記載の方法。
【請求項８７】
前記試験センサを前記試験センサレセプタクルから排出機構を介して排出する行為をさらに含む、請求項８１に記載の方法。
【請求項８８】
液の分析物濃度を測定するようになされたセンサディスペンシング器具を使用する方法であって、
本体、キャップ、カートリッジ、試験センサレセプタクル、センサ前進機構を含むセンサディスペンシング器具を提供する行為であり、前記キャップが、開放位置と閉鎖位置の間を移動するようになされ、前記キャップおよび前記本体が、前記閉鎖位置を形成すべく互いに合うようになされ、前記カートリッジが、複数の試験センサを含み、実質的に前記キャップ内に配置される行為と、
前記センサ前進機構が前記複数の試験センサを１つずつ前記試験センサレセプタクルへと自動的に進ませるように、前記センサ前進機構を活動化する行為と、
前記液を前記試験センサ上に配置する行為と、
前記液の前記分析物濃度を測定する行為と
を含む方法。
【請求項８９】
前記本体が、上部表面および底部表面を有し、前記キャップが、前記本体の前記上部表面および前記底部表面と合うようになされる、請求項８８に記載の方法。
【請求項９０】
前記キャップが、ヒンジを介して前記本体に結合される、請求項８８に記載の方法。
【請求項９１】
前記センサディスペンシング器具が、前記キャップが前記閉鎖位置にないとき、ユーザに警告する検出機構を含む、請求項８８に記載の方法。
【請求項９２】
前記試験センサを前記試験センサレセプタクルから排出機構を介して排出する行為をさらに含む、請求項８８に記載の方法。
【発明の詳細な説明】
【技術分野】
【０００１】
本発明は、一般に、センサディスペンシング器具に関し、より詳細には、液中の分析物（例えば、グルコース）の濃度を測定するために使用されるセンサディスペンシング器具に関する。
【背景技術】
【０００２】
体液中の分析物の定量は、いくつかの生理学的異常の診断および維持において非常に重要である。例えば、いくつかの個体においては、乳酸塩、コレステロール、およびビリルビンがモニタされるべきである。特に、体液中のグルコースを測定することは、自分の食事のグルコース摂取量を調節するために、自分の体液中のグルコースレベルを高い頻度で検査する必要のある糖尿病の人にとって重要である。
【０００３】
このような試験結果は、必要な場合、どのインスリンまたは他の薬物を投与する必要があるかを決定するために使用することができる。血糖試験システムの一方式では、血液サンプルなどの液を試験するために試験センサが使用される。試験センサは、通常、血糖と反応するバイオセンシングまたは試薬材料を含む。センサの試験端は、試験される液、例えば、指が刺された後の人の指上に蓄積される血液中に配置されるようになされる。液は、試験端から試薬材料までセンサ中で延びる毛管路に毛管作用により吸い込まれ、したがって、試験するのに十分な液量がセンサ中に吸い込まれる。次いで、液は、センサ中の試薬材料と化学的に反応する。この結果、試験センサの後端または接触端の近くに位置する接触領域に供給された液のグルコースレベルを示す電気信号が得られる。
【０００４】
試験センサは、器具（計器とも呼ばれる）中に保管されるが、代替的に、器具とは別個の容器中に保管されてもよい。このような実施形態はそれぞれ、利点と欠点を有する。例えば、必要な要素のすべてが１つのデバイス内に配置されるように試験センサが器具中に保管されることが望ましい。しかし、これらのシステムでは、器具が大きくなり、ユーザの操作がより困難となり、また選択された構成要素が信頼性の問題を有するなどの欠点がある。
【発明の開示】
【発明が解決しようとする課題】
【０００５】
所望の分析物の濃度を試験するための、簡単で容易であり、使い勝手のよい機構を提供しつつ、既存システムの上記で述べた欠点を克服することが望まれている。
【課題を解決するための手段】
【０００６】
一実施形態によると、センサディスペンシング器具は、液の分析物濃度を測定するようになされ、また本体、キャップ、カートリッジ、試験センサレセプタクル、センサ前進機構、およびランセットを含む穿刺デバイスを備える。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、ユーザが試験センサを手動で取り外して試験センサレセプタクル中に配置できる位置へと、複数の試験センサを１つずつ進ませるようになされる。
【０００７】
他の実施形態によると、センサディスペンシング器具は、液の分析物濃度を測定するようになされ、また本体、キャップ、カートリッジ、試験センサレセプタクル、およびセンサ前進機構を備える。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、ユーザが試験センサを手動で取り外して試験センサレセプタクル中に配置できる位置へと、複数の試験センサを１つずつ進ませるようになされる。
【０００８】
他の実施形態によると、センサディスペンシング器具は、液の分析物濃度を測定するようになされ、また本体、キャップ、カートリッジ、試験センサレセプタクル、センサ前進機構、およびランセットを含む穿刺デバイスを備える。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ、試験センサレセプタクルへと自動的に進ませるようになされる。
【０００９】
他の実施形態によると、センサディスペンシング器具は、液の分析物濃度を測定するようになされ、また本体、キャップ、カートリッジ、試験センサレセプタクル、およびセンサ前進機構を備える。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ、試験センサレセプタクルへと自動的に進ませるようになされる。
【００１０】
一方法によると、本体、キャップ、カートリッジ、試験センサレセプタクル、センサ前進機構、およびランセットを含む穿刺デバイスを含むセンサディスペンシング器具が提供される。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ進ませるように活動化される。試験センサは、手動で取り外され、試験センサレセプタクル中に配置される。液は、ランセットを用いて生成され、試験センサ上に配置される。液の分析物濃度が測定される。
【００１１】
他の方法によると、本体、キャップ、カートリッジ、試験センサレセプタクル、およびセンサ前進機構を含むセンサディスペンシング器具が提供される。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ進ませるように活動化される。試験センサは手動で取り外され、試験センサレセプタクル中に配置される。液は試験センサ上に配置される。液の分析物濃度が測定される。
【００１２】
他の方法によると、本体、キャップ、カートリッジ、試験センサレセプタクル、センサ前進機構、およびランセットを含む穿刺デバイスを含むセンサディスペンシング器具が提供される。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ、試験センサレセプタクルへと自動的に進ませるように活動化される。液は、ランセットを用いて生成され、試験センサ上に配置される。液の分析物濃度が測定される。
【００１３】
他の方法によると、本体、キャップ、カートリッジ、試験センサレセプタクル、およびセンサ前進機構を含むセンサディスペンシング器具が提供される。キャップは、開放位置と閉鎖位置の間を移動するようになされる。キャップおよび本体は、閉鎖位置を形成すべく互いに合うようになされる。カートリッジは複数の試験センサを含む。カートリッジは、実質的にキャップ内に位置する。センサ前進機構は、複数の試験センサを１つずつ、試験センサレセプタクルへと自動的に進ませるように活動化される。液は試験センサ上に配置される。液の分析物濃度が測定される。
【００１４】
本発明は、様々の変更形態および代替形態が可能であるが、特有の諸実施形態を、例として図面で示し、また本明細書で詳細に説明する。しかし、本発明が、開示された特定の形態に限定されることを意図するものではないことを理解されたい。そうではなくて、本発明は、本発明の趣旨および範囲に含まれる変更形態、等価物、および代替形態をすべて包含する。
【発明を実施するための最良の形態】
【００１５】
図１〜図４に示すものなど、本発明のセンサディスペンシング器具は、分析物濃度を測定するために使用される。本発明を用いて測定できる分析物は、グルコース、脂質プロフィール（例えば、コレステロール、トリグリセリド、ＬＤＬ、およびＨＤＬ）、微量アルブミン、ヘモグロビンＡ1Ｃ、果糖、乳酸塩、またはビリルビンを含む。しかし、本発明は、これらの特有の分析物に限定されることなく、他の分析物濃度を測定できることも企図されている。分析物は、例えば、全血サンプル、血清サンプル、血漿サンプル、またはＩＳＦ（間質液）や尿など他の体液中のものとすることもできる。
【００１６】
図１ａ〜図１ｅを参照すると、一実施形態によるセンサディスペンシング器具１０が示されている。センサディスペンシング器具１０は、キャップ１２、本体１４、複数の試験センサ１８を含むカートリッジ１６、およびセンサ前進機構２０を備える。
【００１７】
キャップ１２は、開放位置と閉鎖位置の間を移動するようになされる。閉鎖位置では、図１ａのキャップ１２は本体１４に合っており、センサディスペンシング器具１０中に汚染物が侵入するのを阻止または抑制するぴったりした嵌合いを形成することが望ましい。キャップ１２は、カートリッジ１６、センサディスペンシング器具中の電気的な接続、およびランセット３０を含む穿刺デバイス２４を保護するのを助ける。キャップ１２は、この実施形態で示すように、本体１４の上部表面１４ａに（図１ａを参照）、または本体１４の底部表面１４ｂに（図１ｄを参照）に合うようになされ得る。
【００１８】
ユーザが、例えば、体液を吸い込み、試験センサを取り扱い、または分析物濃度の測定を待つなど、センサディスペンシング器具を用いて操作を行っているときに、キャップを配置するのに好都合な位置を提供するために、本体の上部表面および底部表面にキャップを取り付けるようになされると有利である。このような実施形態では、キャップおよび本体は、通常、取り付けられるというよりは、着脱可能に結合される。
【００１９】
カートリッジ１６は、実質的に、キャップ１２内に位置する。カートリッジ１６は、図１ａ、図１ｄなどに示すように、完全にキャップ１２内に位置することが望ましい。カートリッジ１６は、液サンプルの分析物濃度を測定するのを支援するようになされた複数の試験センサ１８を含む。一実施形態では、図１ａ、図１ｄに示すように、複数の試験センサ１８がキャップ１２内で水平に積み重ねられている。複数の試験センサはまた、キャップ内で垂直に積み重ねてもよい（例えば、図２ａ、図２ｂの複数の試験センサ１１８を参照）。複数の試験センサ１８は、電気化学的または光学的な測定に対してなされ得る。
【００２０】
図５を参照すると、センサディスペンシング器具１０で使用できるカートリッジ５０が示されている。カートリッジ５０は、ハウジング５２および複数の試験センサ５４を含む。複数の試験センサ５４は、ばね５６によって矢印Ａの方向に移動される。カートリッジ５０はまた、その複数の試験センサ５４を湿度から保護する複数の移動可能なシール５８ａ、ｂも含む。より具体的には、シール５８ａ、ｂは、空気および湿気が、複数の試験センサ５４を含むカートリッジ５０の内部に侵入するのを阻止または抑制する。複数の試験センサ５４は、１つずつ、開口部６０を介してカートリッジ５０から外にでる。例えば、移動可能なシールを貫通し、複数の試験センサ５４の１つと接触し、かつ試験センサ５４の１つを開口部６０を介してカートリッジ５０から押し出し、または抜き取るためのプッシャアセンブリを用いることにより、複数の試験センサ５４を１つずつ取り外すことができる。このようなカートリッジ、ならびにカートリッジの他の諸実施形態は、２００４年６月２４日に出願された、「Ｃａｒｔｒｉｄｇｅ  ａｎｄ  Ｓｅｎｓｏｒ−Ｄｉｓｐｅｎｓｉｎｇ  Ｉｎｓｔｒｕｍｅｎｔ（カートリッジおよびセンサディスペンシング器具）」と題する出願第６０／５８２７１２号に開示されている。複数の試験センサを含む他のカートリッジをセンサディスペンシング器具で使用できることも企図される。他のカートリッジ中の試験センサは、図５に示されたものとは異なる方法で分与（ｄｉｓｐｅｎｓｅ）され得る。
【００２１】
図１ａ〜図１ｅに戻って参照すると、キャップ１２は、開放位置と閉鎖位置の間で移動するようになされた跳ね上げ蓋機構２２を含む。跳ね上げ蓋機構２２が開放位置にあるとき（図１ｄを参照）、カートリッジ１６およびセンサ前進機構２０が露出される。跳ね上げ蓋機構２２が開放位置にあるとき、カートリッジにアクセスすることができる。開放位置にある跳ね上げ蓋機構は、センサ前進機構だけを露出ですることがき、カートリッジを露出しないように企図される。跳ね上げ蓋機構２２は、汚染物がセンサディスペンシング器具１１０中に侵入するのを阻止または抑制するぴったりした嵌合いを有することが望ましい。跳ね上げ蓋機構は、環境（すなわち、湿気）がカートリッジ中に侵入するのを阻止または抑制するために、カートリッジに代えて、またはそれに追加してシールを有することができる。
【００２２】
センサ前進機構２０は、複数の試験センサ１８をカートリッジ１６から１つずつ進ませるようになされる。図１ｄのセンサ前進機構２０は、複数の試験センサ１８をカートリッジから１つずつ進ませるために矢印Ｂの方向に移動される。センサ前進機構２０は、例えば、カートリッジ１６から１つずつ複数の試験センサ１８を抜き取るための様々な機構とすることができる。複数の試験センサ１８をカートリッジ１６から引っ張り、または押し出すことができる。
【００２３】
複数の試験センサのうちの次に抜き取られるべき１つを配置するのを支援するために、複数の試験センサ１８を図１ａの矢印Ｃの方向に移動させる少なくとも１つのばね４２を使用することができる。
【００２４】
跳ね上げ蓋機構２２が開放位置にあるとき、ユーザは、複数の試験センサ１８を前進させ、またはカートリッジ１６を交換することができる。閉鎖位置では、跳ね上げ蓋機構２２は、（ａ）複数の試験センサ１８の１つが不用意に進まないように、（ｂ）複数の試験センサ１８が環境に曝されないように保護する。
【００２５】
複数の試験センサを保護するために、複数の試験センサ１８を含むその内部で適切な湿度レベルを維持するように、乾燥材料４４をカートリッジ１６に追加することが望ましい。適切な湿度レベルを維持することによって、試験センサ中の試薬材料は、使用される場合、保護される。乾燥材料４４の量は、所望の保存期間（複数の試験センサのいずれかが使用される前の時間期間）を得るのに十分なものとすべきである。乾燥材料４４の量はまた、所望の使用期間（複数の試験センサの１つが最初に使用された後の時間期間）を得るのに十分なものとすべきである。
【００２６】
乾燥剤は、球形、錠剤状、粒子状、紙状を含むいくつかの形態のものとすることができる。例えば、乾燥剤は、分子ふるい（ｍｏｌｅｃｕｌａｒ  ｓｉｅｖｅ）球体、または厚い乾燥紙とすることができる。乾燥剤は、乾燥材料４４で示すようにカートリッジ１６内に配置することができる。乾燥剤は、その中に湿気を吸収するように、カートリッジ１６のハウジングの内部表面中に成形することができる。乾燥材料の非限定の一例は、例えば、分子ふるいビーズの形で、米国ニューヨーク州バッファローのＭｕｌｔｉｓｏｒｂ社から購入することができる。
【００２７】
試験センサ１８の残りを見ることができるように、センサディスペンシング器具１０のキャップ１２は、通常、半透明である。しかし、キャップ１２は、キャップ１２に窓を形成することにより複数の試験センサ１８を見えるようになされ得る。
【００２８】
カートリッジ１６はまた、複数の試験センサ１８に関する情報を含み、センサディスペンシング器具１０の較正を支援するために使用される較正情報デバイス２６（図１ａ参照）を含む。較正情報デバイス２６は、通常、器具１０の較正読取り機構２７に接続される。較正情報デバイス２６は、試薬もしくは温度プロフィールに対する感度、製造日、期限切れ日などの較正情報を含むことができる。デバイス２６は、ＥＰＲＯＭなどの記憶デバイス、電気的なバーコード方式ラベル、光学的なバーコード方式ラベル、ＲＦラベルの形態、または較正情報を記憶し、もしくは伝達するようになされた他の形態とすることができる。電気的なバーコード方式のラベルは、較正読取り機構に接続され、プログラムされた導電性パターンに基づき較正に関する情報を伝達する複数の電気的な接触部とすることができる。光学的なバーコード方式ラベル、またはＲＦラベルなどの較正情報デバイスを使用することは、較正読取り機構への物理的な接続の使用を必要としない。
【００２９】
情報は、光学的に、または電子的に読み取ることができる。センサディスペンシング器具１０は、キャップ１２を閉鎖すると較正するようになされ得る。
キャップ１２は、複数の試験センサ１８のそれぞれが使用された後、ユーザがキャップ１２を処分するように使い捨て可能にすることができる。続いて、ユーザは、通常、複数の未使用の試験センサを有するカートリッジを含む第２の同一のキャップを配置するはずである。代替的には、キャップ１２は、複数の試験センサの使用後にカートリッジ１６が処分された場合に限って再使用可能にすることができる。このような実施形態では、複数の試験センサ１８が使用された後に、ユーザは、センサディスペンシング器具１０のキャップ１２からカートリッジ１６を取り外し、複数の未使用の試験センサを含む第２の同一のカートリッジと交換する。
【００３０】
センサディスペンシング器具１０の本体１４は、試験センサレセプタクル２８を含む。センサディスペンシング器具１０の試験に備えるために、一方法によれば、キャップ１２を開放位置に配置し、それにより穿刺デバイス２４および試験センサレセプタクル２８を露出する。次いで、キャップ１２を、便利なように、本体１４の底部表面１４ｂに取り付けることができる。跳ね上げ蓋機構２２（図１ｄを参照）が開かれて、センサ前進機構２０および複数の試験センサ１８が露出される。
【００３１】
ユーザは、センサ前進機構２０を摺動させて、複数の試験センサ１８の１つをカートリッジ１６から進ませる。ユーザは、ボタンを押すこと、または積み重ねたものから手で複数の試験センサ１８を引っ張ることなど、他の方法によってセンサ前進機構２０を活動化できることも企図される。
【００３２】
ユーザは、次いで、試験センサを掴み、試験センサレセプタクル２８中に配置する。図１ａ、図１ｅなどに示すように、試験センサレセプタクル２８は、交互に、実地試験（ｓｉｔｅ  ｔｅｓｔｉｎｇ）と搭載を容易に行えるように角度を付けて配置され得る。例えば、図１ｅで、試験センサレセプタクル２８中に角度を付けて配置された試験センサ１８ａが示されている。しかし、試験センサレセプタクル２８は、概して、垂直に、または本体１４の上部表面１４ａに対して直角をなすようにできることが企図される。
【００３３】
図１ａ、図１ｅを参照すると、センサディスペンシング器具１０の本体１４は、（ａ）ランセット３０、（ｂ）ランセット３０を保持する穿刺部分２４ａ、および（ｃ）ユーザが不用意にランセット３０に接触することから保護する穿刺エンドキャップ２４ｂを含む穿刺デバイス２４を示す。ランセット３０は、液サンプルをユーザから取得するようになされる。ランセット３０は、通常、格納式である。穿刺デバイス２４は、都合よく穿刺と試験を並んで行えるように、試験センサレセプタクル２８に隣接しており、それにより、ユーザの構成要素操作に必要なレベルを低減する。しかし、穿刺デバイスと試験センサレセプタクルを、互いに対して異なる位置に配置され得ることも企図される。
【００３４】
図１ａ、図１ｂに示すように、本体１４は、コッキング（ｃｏｃｋｉｎｇ）デバイス３２、および発射機構３４を含む。一実施形態によると、コッキングデバイス３２は、穿刺デバイス２４の発射を準備するために用いられ、発射機構３４は、穿刺デバイス２４を介してランセット３０を発射する。コッキングデバイス３２および発射機構３４は、図１ａ、図１ｂに示すように、別個のものとすることができるが、共に組み合わせることもできる。
【００３５】
拡張した保管の選択肢をユーザに提供するために、本体１４は、複数のランセット、追加のカートリッジ、試験センサ、および／または他の要素を保管するようになされた、図１ｃに示すものなど、保管コンパートメント３６を形成することができる。したがって、ユーザは、システムの交換用構成要素を含むセンサディスペンシング器具を運ぶことができ、好都合である。
【００３６】
保管コンパートメント３６は、センサディスペンシング器具１０内に位置するので、自給式保管と呼ぶことができる。さらに、保管コンパートメント３６中に保管される構成要素は、ランセット、カートリッジ、および試験センサなどの使用済み構成要素、または交換用構成要素とすることができる。このようにすると、必要な試験用供給物の移送および／または保管が容易になり、ならびに恒久的な廃棄が望まれるまで、使用済みの供給物を処分するための個別の方法が可能になる。使用済みの構成要素は、通常、さらに恒久的な廃棄物容器を利用できるまで保管される。保管コンパートメント３６はさらに、例えば、試験センサが保管されている場合、乾燥剤などの追加の要素を含むことができる。汚染を阻止または抑制するために、使用済み構成要素と交換用構成要素に対して別々の保管領域を有することが望ましい。保管コンパートメントまたはその部分が、使用済み構成要素を含むようになされた衛生的なスリーブを有することもまた望ましい。
【００３７】
図１ｃに示す保管コンパートメント３６は、本体１４によって恒久的に形成されている。保管コンパートメントは、本体に着脱可能に追加できることも企図される。したがって、このような実施形態では、保管コンパートメントはユーザにより取外し可能である。このような保管コンパートメントは、上記で論じたランセット、カートリッジ、および試験センサなどの使用済み構成要素、または交換用構成要素を含むことができる。
【００３８】
さらに、保管コンパートメントは、図１ｃで示す正確な位置にある必要はない。例えば、保管コンパートメントは、本体１４内の他の位置に、またはキャップ１２内の他の位置であっても形成することができる。図１ａで示すように、保管コンパートメント６０ａ〜ｃが、本体１４内に形成されるものとして示されている。上記で論じたように、保管コンパートメント６０ａ〜ｃは、上記で論じたランセット、カートリッジ、および試験センサなどの使用済み構成要素および交換用構成要素を含むことができる。図１ａで示したものよりも少ないまたは多くの保管コンパートメントにできることも企図される。保管コンパートメント６０ａ〜ｃは、保管コンパートメント３６に加えて、またはそれに代えて使用することができる。
【００３９】
センサディスペンシング器具１０は、キャップおよび／または跳ね上げ蓋が閉鎖位置にあるかどうかを検出する検出機構を含むことができる。例えば、センサディスペンシング器具は、キャップが閉鎖位置にない場合、ユーザに警告する接触スイッチなどの検出機構４６を含むことができる。この警告は、可聴信号を介してユーザに提供することができる。閉鎖位置にあるキャップが、試験センサを環境からの湿度に曝されないように保護する主要なソースを提供する場合、これは特に望ましい。キャップ１２はまた、湿気に複数の試験センサ１８が曝されないように阻止または抑制するのを助けるシールを提供するように設計することができる。
【００４０】
図１ｄに示すセンサディスペンシング器具１０は、ユーザに利用可能な試験および試験結果の選択肢をナビゲートするようになされたナビゲーション制御３８を含む。さらに、図１ａ、図１ｄを参照すると、センサディスペンシング器具１０は、試験後、複数の試験センサ１８の１つを解放するようになされた排出機構４０を含む。
【００４１】
排出は、いくつかの方法により達成することができる。一方法では、センサディスペンシング器具は、使用済みの試験センサをセンサディスペンシング器具から排出する排出機構を含むことができる。このような実施形態では、試験センサは強制的に解放される。他の方法では、試験センサは、（ａ）試験センサの把持部を解放すること、（ｂ）試験センサが試験センサレセプタクルから重力で落ちるように、センサディスペンシング器具を傾けることにより排出され得る。他の方法では、試験センサはまた、センサディスペンシング器具から試験センサを掴み、または引っ張ることにより、センサディスペンシング器具から手動で取り外すこともできる。
【００４２】
センサディスペンシング器具によって利用される複数のセンサは、通常、センサの前端すなわち試験端から、センサ中に配置されたバイオセンシングまたは試薬材料まで延びる毛管路を備える。センサの試験端が液（例えば、ランセットにより指が刺された後、人の指上に蓄積される血液）中に置かれた場合、液の一部分が毛管作用により毛管路に吸い込まれる。次いで、液は、試験センサ中の試薬材料と化学的に反応し、したがって、液中の分析物濃度（例えば、グルコース濃度）を示す電気信号が供給され、その後、それは電気的なアセンブリに送られる。
【００４３】
分析結果は、次いで、センサディスペンシング器具の液晶ディスプレイ上などに表示することができる。センサディスペンシング器具上に表示され得るいくつかの情報は、以下のものを含む。すなわち、電池指示、数値表示、残りのセンサ数の指示、センサディスペンシング器具中にカートリッジを搭載するための指示、適用する血液の指示、温度指示、またはその様々な組合せである。他のタイプの表示を使用できることも企図される。
【００４４】
１つの試験プロセスによると、全血サンプルは、以下により試験のために準備することができる。すなわち、（ａ）全血サンプルを受け入れるために、試験センサの１つを前進させ、その試験センサを試験センサレセプタクル中に手動で配置すること、（ｂ）穿刺デバイスにより全血サンプルを生成すること、および（ｃ）試験センサおよび全血サンプルを接触させること、その場合、血液は、概して毛管作用によりセンサ中に吸い込まれる。
【００４５】
図２ａ、図２ｂは、他の実施形態によるセンサディスペンシング器具を示す。図２ａ、図２ｂのセンサディスペンシング器具１１０は、図１ａ〜図１ｅのセンサディスペンシング器具１０と同様のいくつかの機構を含む。センサディスペンシング器具１１０は、キャップ１１２、本体１１４、複数の試験センサ１１８を含むカートリッジ１１６、およびセンサ前進機構１２０を備える。しかし、図２ａ、図２ｂのセンサディスペンシング器具１１０は、図１ａ〜図１ｅのセンサディスペンシング器具１０で示した、例えば、穿刺デバイス、コッキングデバイス、発射機構、または複数のランセットのための保管スペースを含まない。
【００４６】
キャップ１１２は、開放位置と閉鎖位置の間を移動するようになされる。閉鎖位置では、キャップ１１２は、本体１１４に合っており、汚染物がセンサディスペンシング器具１１０中に侵入するのを阻止または抑制するぴったりした嵌合いを形成することが望ましい。図２ａで示すように、キャップ１１２は、ヒンジ１１５を介してセンサディスペンシング器具１１０の本体１１４に取り付けられている。例えば、試験センサを取り扱うこと、または分析物濃度が測定されるのを待つことなど、ユーザがセンサディスペンシング器具を用いて操作を実施しているとき、キャップを固定するようにヒンジを介して本体にキャップが取り付けられると有利である。キャップ１１２および本体１１４がヒンジ１１５を介して取り付けられているので、キャップ１１２が再使用され、カートリッジが使い捨て可能であることが望ましい。しかし、キャップおよび本体は、キャップを使い捨て可能にできるように、ヒンジを介して着脱可能に結合され得ることも企図される。
【００４７】
図２ａ、図２ｂのキャップ１１２は、センサ前進機構１２０、カートリッジ１１６、跳ね上げ蓋機構１２２、および残りの複数の試験センサ１１８を見ることができるようになされた窓１４２を含む。しかし、キャップはまた、不透明にすることも、他の方法によって複数の試験センサを見えるように適合させることもできる。複数の試験センサ１１８は、電気化学的または光学的な測定に対してなされる。図２ａ、図２ｂに示すように、複数の試験センサ１１８は、キャップ１１２中に垂直に積み重ねられている。カートリッジ１１６は、較正情報を記憶するように、または器具１１０の較正読取り機構１２７に較正情報を伝達するようになされた較正情報デバイス１２６を含む。センサディスペンシング器具１１０中で、他のカートリッジを使用できることも企図される。
【００４８】
図２ａ、図２ｂのセンサディスペンシング器具１１０の本体１１４は、試験センサレセプタクル１２８、排出機構１４０、およびナビゲーション制御１３８を含む。センサディスペンシング器具１１０の試験準備をするために、一方法によると、ユーザは、センサ前進機構１２０を摺動させて、カートリッジ１１６から複数の試験センサ１１８の１つを前進させる。ユーザは、ボタンを押すなど他の方法で、センサ前進機構１２０を活動化できることも企図される。次いで、ユーザは、試験センサを試験センサレセプタクル１２８中に手動で配置する。本体１１４は、図１ａ、図１ｃにおいて上記で論じた保管コンパートメント３６および保管コンパートメント６０ａ〜ｃなど、ランセット用の保管スペースを含むように設計され得ることも企図される。
【００４９】
図３ａ〜図３ｄを参照すると、他の実施形態によるセンサディスペンシング器具が示されている。図３ａ〜図３ｄのセンサディスペンシング器具２１０は、キャップ２１２、本体２１４、複数の試験センサ２１８を含むカートリッジ２１６、およびセンサ前進機構２２０を備える。
【００５０】
キャップ２１２は、開放位置と閉鎖位置の間を移動するようになされる。図３ｄの閉鎖位置では、キャップ２１２は、本体２１４に合っており、汚染物がセンサディスペンシング器具２１０に侵入するのを阻止または抑制するぴったりした嵌合いを形成することが望ましい。図３ａのキャップ２１２は、本体２１４から取外し可能であり、本体２１４の上部表面２１４ａまたは底部表面２１４ｂに合うように適合させることができる。
【００５１】
ユーザが、例えば、体液を吸い込み、または分析物濃度の測定を待つことなど、センサディスペンシング器具を用いて操作を実施しているときに、キャップを配置するのに便利な位置を提供するために、キャップが本体の上部および底部表面に取り付けられるようになされると有利である。このような実施形態では、キャップおよび本体は、通常、取り付けられるというようりは、着脱可能に結合される。
【００５２】
カートリッジ２１６は、実質的にキャップ２１２内に位置する。カートリッジ２１６は、例えば、図３ａで示すように、完全にキャップ２１２内に位置することが望ましい。カートリッジ２１６は、液サンプルの分析物濃度を測定するのを支援するようになされた複数の試験センサ２１８を含む。図３ａの実施形態で示すように、複数の試験センサ２１８は、キャップ２１２中で垂直に積み重ねられている。複数の試験センサ２１８は、電気化学的、または光学的な測定になされる。
【００５３】
前に述べたように、キャップ２１２は、開放位置と閉鎖位置の間を移動するようになされる。キャップ２１２が本体２１４から取り外されると（すなわち、開放位置）、穿刺デバイス２２４、カートリッジ２１６、および試験センサレセプタクル２２８が露出され、アクセス可能になる。カートリッジ２１６（図３ａを参照）は、上記で論じたように、較正情報を記憶するように、または較正情報を器具２１０の較正読取り機構２２７に伝達するようになされた較正情報デバイス２２６を含む。センサ前進機構２２０は、カートリッジ２１６から１つずつ複数の試験センサ２１８を進ませるようになされる。開放位置では、ユーザは、一実施形態に従って、カートリッジ２１６を交換することができる。閉鎖位置では、キャップ２１２は、試験センサレセプタクル２２８、較正読取り機構２２７、および穿刺デバイス２２４を保護する。キャップ２１２はまた、湿気に複数の試験センサ２１８が曝されるのを阻止または抑制するのを支援するシールを提供するように設計され得る。
【００５４】
複数の試験センサ２１８の残りを見えるようにするために、図３ａ〜図３ｄのセンサディスペンシング器具２１０のキャップ２１２は、通常、半透明である。しかし、キャップ２１２は、キャップ２１２に窓を形成することにより、複数の試験センサ２１８を見えるようになされ得る。センサディスペンシング器具２１０は、キャップ２１２を閉じると較正するように適合させることができる。
【００５５】
複数の試験センサ２１８のそれぞれが使用された後、ユーザがキャップ２１２を処分するように、キャップ２１２を使い捨て可能にすることができる。その後、ユーザは、通常、複数の未使用の試験センサを有するカートリッジを含む第２の同一のキャップを配置するはずである。代替的には、複数の試験センサが使用された後、カートリッジ２１６だけを処分して、キャップ２１２は再使用可能にすることができる。このような実施形態では、複数の試験センサ２１８のそれぞれが使用された後、ユーザは、センサディスペンシング器具２１０のキャップ２１２からカートリッジ２１６を取り外し、それを、複数の未使用の試験センサを含む第２の同一のカートリッジと交換する。
【００５６】
センサディスペンシング器具２１０の本体２１４は、試験センサレセプタクル２２８を含む。センサディスペンシング器具２１０の試験準備をするために、一方法によると、センサディスペンシング器具２１０は、閉鎖位置に配置される（図３ｄを参照）。閉鎖位置にある間に、ユーザは、センサ前進機構２２０を摺動させて、複数の試験センサ２１８の１つをカートリッジ２１６から進ませる。複数の試験センサ２１８は、１つずつ矢印Ｄの方向に移動される。センサディスペンシング器具２１０は、試験センサを手動で何も操作せずに、自動的に、試験センサ２１８の１つを試験センサレセプタクル２２８中に移動させる。センサ前進機構２２０が試験センサ２１８を、１つずつ試験センサレセプタクル２２８中に直接配置し、ユーザ操作の必要量を低減するので有利である。試験プロセスを続けるために、ユーザは本体２１４からキャップ２１２を取り外す（図３ａの開放位置を参照）。図３ａは、試験センサレセプタクル２２８中に自動的に配置された試験センサ２１８ａを示す。
【００５７】
図３ａをさらに参照すると、センサディスペンシング器具２１０の本体２１４は、（ａ）ランセット２３０、（ｂ）ランセット２３０を保持する穿刺部分２２４ａ、および（ｃ）ランセット２３０をカバーし、意図せずにランセット２３０に接触することからユーザを保護する穿刺エンドキャップ２２４ｂを含む穿刺デバイス２２４を含む。図３ａのセンサディスペンシング器具２１０では、穿刺デバイス２２４は、並んで穿刺および試験を行うのに好都合なように試験センサレセプタクル２２８に隣接しており、ユーザによる構成要素の操作に必要なレベルが低減される。しかし、穿刺デバイスおよび試験センサレセプタクルは、互いに対して異なる位置に配置され得ることも企図される。
【００５８】
図３ａ、図３ｂに示すように、本体２１４は、コッキングデバイス２３２および発射機構２３４を含む。一実施形態によると、コッキングデバイス２３２は、穿刺デバイス２２４の発射を準備するために使用され、また発射機構２３４は、穿刺デバイス２２４を介してランセット２３０を発射する。発射機構２３４がランセット２３０を発射する前に、穿刺エンドキャップ２２４ｂは、ランセット２３０を露出するために穿刺部分２２４ａから取り外される。コッキングデバイス２３２および発射機構２３４は、図３ａ、図３ｂで示すように別個のものとすることができるが、一緒に組み合わせることもできる。
【００５９】
拡張した保管の選択肢をユーザに提供するために、本体２１４は、複数のランセット、追加のカートリッジ、試験センサ、および／または他の要素を保管するようになされた、保管コンパートメント２３６（図３ｂ、図３ｃを参照）を形成する。したがって、ユーザは、システムの交換用構成要素を含むセンサディスペンシング器具を運ぶことができ、好都合である。
【００６０】
保管コンパートメント２３６は、自給式保管と呼ぶことができる。さらに、保管コンパートメント２３６中に保管される構成要素は、ランセット、カートリッジ、および試験センサなどの使用済み構成要素、または交換用構成要素とすることができる。保管コンパートメント２３６は、例えば、試験センサが保管されている場合、乾燥剤などの追加の要素をさらに含むことができる。汚染を阻止または抑制するために、使用済み構成要素と交換用構成要素のための別々の保管領域を有することが望ましい。保管コンパートメントまたはその部分が、使用済み構成要素を含むようになされた衛生的なスリーブを有することもまた望ましい。使用済み構成要素は、通常、さらに恒久的な廃棄物容器を利用できるまで保管される。
【００６１】
図３ｂ、図３ｃに示す保管コンパートメント２３６は、本体２１４によって恒久的に形成されている。保管コンパートメントは、本体に着脱可能に追加できることも企図される。したがって、このような実施形態では、保管コンパートメントは、ユーザにより取外し可能である。このような保管コンパートメントは、上記で論じたランセット、カートリッジ、および試験センサなどの使用済み構成要素、または交換用構成要素を含むことができる。
【００６２】
さらに、保管コンパートメントは、図３ｂ、図３ｃで示された正確な位置にある必要はない。例えば、保管コンパートメントは、本体２１４内の他の位置に、または、キャップ２１２内の他の位置であっても形成することができる。図３ａで示すように、保管コンパートメント２６０ａ、２６０ｂが、本体２１４内に形成されるものとして示されている。上記で論じたように、保管コンパートメント２６０ａ、２６０ｂは、上記で論じたランセット、カートリッジ、および試験センサなどの使用済み構成要素および交換用構成要素を含むことができる。図３ａで示したものよりも少ないまたは多くの保管コンパートメントにできることも企図される。保管コンパートメント２６０ａ、２６０ｂは、保管コンパートメント２３６に加えて、またはそれに代えて使用することができる。
【００６３】
センサディスペンシング器具２１０は、キャップが閉鎖位置にあるかどうかを検出する検出機構を含むことができる。例えば、センサディスペンシング器具は、キャップが閉鎖位置にない場合、ユーザに警告する接触スイッチなどの検出機構２４６を含むことができる。この警告は、可聴信号を介してユーザに提供することができる。閉鎖位置にあるキャップが、試験センサを環境からの湿度に曝されるのを保護する主要なソースを提供する場合、これは特に望ましい。
【００６４】
センサディスペンシング器具２１０は、ユーザに利用可能な試験および試験結果の選択肢をナビゲートするようになされたナビゲーション制御２３８を含む（図３ｃを参照）。さらに、図３ａを参照すると、センサディスペンシング器具２１０は、排出機構４０に関して上記で述べたものと同様の排出機構２４０を含む。センサディスペンシング器具からの試験センサの排出は、図１のセンサディスペンシング器具１０に関して上記で論じたものと同様な方法で達成され得る。
【００６５】
図４ａ、図４ｂは、他の実施形態によるセンサディスペンシング器具を示す。センサディスペンシング器具３１０は、図３ａ〜図３ｄのセンサディスペンシング器具２１０と同様のいくつかの機構を含む。図４ａ、図４ｂのセンサディスペンシング器具３１０は、キャップ３１２、本体３１４、複数の試験センサ３１８を含むカートリッジ３１６、およびセンサ前進機構３２０を備える。しかし、図４ａ、図４ｂのセンサディスペンシング器具３１０は、図３ａ〜図３ｄのセンサディスペンシング器具２１０で示した、例えば、穿刺デバイス、コッキングデバイス、または発射機構を含まない。
【００６６】
キャップ３１２は、開放位置と閉鎖位置の間を移動するようになされる。閉鎖位置では、キャップ３１２は本体３１４に合っており、汚染物がセンサディスペンシング器具３１０中に侵入するのを阻止または抑制するぴったりした嵌合いを形成することが望ましい。図４ａで示すように、キャップ３１２は、ヒンジ３１５を介してセンサディスペンシング器具３１０の本体３１４に取り付けられている。例えば、分析物濃度が測定されるのを待つなど、ユーザがセンサディスペンシング器具を用いて操作を実施しているとき、キャップを固定するようにヒンジを介してキャップが本体に取り付けられると有利である。
【００６７】
キャップ３１２は、センサ前進機構３２０、カートリッジ３１６、および複数の試験センサ３１８を見えるようになされた窓３４２を含む。複数の試験センサ３１８は、電気化学的または光学的な測定に対してなされる。カートリッジ３１６（図４ａ参照）は、較正情報を記憶するように、または較正情報を器具３１０の較正読取り機構３２７に伝達するようになされる上記で論じた較正情報デバイス３２６を含む。
【００６８】
図４ａ〜図４ｂのセンサディスペンシング器具３１０の本体３１４は、試験センサレセプタクル３２８、保管コンパートメント３３６、排出機構３４０、およびナビゲーション制御３３８を含む。保管コンパートメント３３６は、複数のランセット、追加のカートリッジ、試験センサ、および／または他の要素を保管するようになされる。保管コンパートメント３３６に代えて、またはそれに追加して他の保管コンパートメントを使用できることも企図される。他の保管コンパートメントのいくつかの非限定の例は、図１ａの保管コンパートメント６０ａ〜ｃとすることができる。
【００６９】
センサディスペンシング器具３１０の試験準備するために、一方法によると、センサディスペンシング器具３１０は閉鎖位置に配置される。ユーザは、センサ前進機構３２０を摺動させて、複数の試験センサ３１８の１つをカートリッジ３１６から進ませる。ユーザはボタンを押すなど他の方法によりセンサ前進機構３２０を活動化できることが企図される。センサディスペンシング器具３１０は、試験センサを手動で何も操作せずに、自動的に、試験センサ３１８の１つを試験センサレセプタクル３２８中に移動させる。これは、図４ａに示されており、図では、試験センサ３１８ａが試験センサレセプタクル３２８中に配置されている。センサ前進機構３２０が試験センサ３１８を、１つずつ試験センサレセプタクル３２８中に直接配置し、ユーザ操作の必要量を低減するので有利である。センサディスペンシング器具３１０は、ヒンジ３１５を介してキャップ３１２を本体３１４に対して移動させることにより、開放位置に移動され試験プロセスを続けることができる。
【００７０】
代替の実施形態Ａ
液の分析物濃度を測定するようになされたセンサディスペンシング器具であって、
本体と、
開放位置と閉鎖位置の間を移動するようになされたキャップであり、キャップおよび本体が、閉鎖位置を形成すべく互いに合うようになされたキャップと、
複数の試験センサを含み、実質的にキャップ内に位置するカートリッジと、
試験センサレセプタクルと、
ユーザが、試験センサを手動で取り外し、試験センサを試験センサレセプタクル中に配置できるようにする位置へと、１つずつ複数の試験センサを進ませるようになされたセンサ前進機構と、
ランセットを含む穿刺デバイスと
を備えるセンサディスペンシング器具。
【００７１】
代替の実施形態Ｂ
ランセットの発射を準備するようになされたコッキングデバイスをさらに含む、代替の実施形態Ａのセンサディスペンシング器具。
【００７２】
代替の実施形態Ｃ
ランセットを発射するようになされた発射機構をさらに含む、代替の実施形態Ａのセンサディスペンシング器具。
【００７３】
代替の実施形態Ｄ
穿刺デバイスが、試験センサレセプタクルに隣接している、代替の実施形態Ａのセンサディスペンシング器具。
【００７４】
代替の実施形態Ｅ
穿刺デバイスが穿刺エンドキャップを含む、代替の実施形態Ａのセンサディスペンシング器具。
【００７５】
代替の実施形態Ｆ
本体が、複数のランセット、試験センサ、またはカートリッジを保管するようになされた保管コンパートメントを形成する、代替の実施形態Ａのセンサディスペンシング器具。
【００７６】
代替の実施形態Ｇ
複数のセンサが電気化学的センサである、代替の実施形態Ａのセンサディスペンシング器具。
【００７７】
代替の実施形態Ｈ
複数のセンサが光学的センサである、代替の実施形態Ａのセンサディスペンシング器具。
【００７８】
代替の実施形態Ｉ
キャップが、本体から取外し可能であるようになされる、代替の実施形態Ａのセンサディスペンシング器具。
【００７９】
代替の実施形態Ｊ
本体が、上部表面および底部表面を有し、キャップが、本体の上部表面および底部表面と合うようになされる、代替の実施形態Ａのセンサディスペンシング器具。
【００８０】
代替の実施形態Ｋ
キャップが、ヒンジを介して本体に結合される、代替の実施形態Ａのセンサディスペンシング器具。
【００８１】
代替の実施形態Ｌ
キャップが閉鎖位置にないとき、ユーザに警告する検出機構をさらに含む、代替の実施形態Ａのセンサディスペンシング器具。
【００８２】
代替の実施形態Ｍ
閉鎖位置にあるキャップが、複数の試験センサを見えるようにする、代替の実施形態Ａのセンサディスペンシング器具。
【００８３】
代替の実施形態Ｎ
キャップが窓を形成する、代替の実施形態Ｍのセンサディスペンシング器具。
代替の実施形態Ｏ
カートリッジがさらに、複数の試験センサについての較正情報を含む較正情報デバイスを含む、代替の実施形態Ａのセンサディスペンシング器具。
【００８４】
代替の実施形態Ｐ
複数の試験センサ（ストリップ）が、キャップ内で水平に積み重ねられる、代替の実施形態Ａのセンサディスペンシング器具。
【００８５】
代替の実施形態Ｑ
複数の試験センサ（ストリップ）が、キャップ内で垂直に積み重ねられる、代替の実施形態Ａのセンサディスペンシング器具。
【００８６】
代替の実施形態Ｒ
カートリッジが、完全にキャップ内に位置する、代替の実施形態Ａのセンサディスペンシング器具。
【００８７】
代替の実施形態Ｓ
試験センサレセプタクルから、複数の試験センサの１つを排出するようになされた排出機構をさらに含む、代替の実施形態Ａのセンサディスペンシング器具。
【００８８】
代替の実施形態Ｔ
キャップが跳ね上げ蓋機構を含む、代替の実施形態Ａのセンサディスペンシング器具。
代替の実施形態Ｕ
液の分析物濃度を測定するようになされたセンサディスペンシング器具であって、
本体と、
開放位置と閉鎖位置の間を移動するようになされたキャップであり、キャップおよび本体が、閉鎖位置を形成すべく互いに合うようになされたキャップと、
複数の試験センサを含み、実質的にキャップ内に位置するカートリッジと、
試験センサレセプタクルと、
ユーザが、試験センサを手動で取り外し、試験センサを試験センサレセプタクル中に配置できるようにする位置へと、１つずつ複数の試験センサを進ませるようになされたセンサ前進機構と
を備えるセンサディスペンシング器具。
【００８９】
代替の実施形態Ｖ
複数のセンサが電気化学的センサである、代替の実施形態Ｕのセンサディスペンシング器具。
【００９０】
代替の実施形態Ｗ
複数のセンサが光学的センサである、代替の実施形態Ｕのセンサディスペンシング器具。
【００９１】
代替の実施形態Ｘ
キャップが、本体から取外し可能であるようになされる、代替の実施形態Ｕのセンサディスペンシング器具。
【００９２】
代替の実施形態Ｙ
本体が、上部表面および底部表面を有し、キャップが、本体の上部表面および底部表面と合うようになされる、代替の実施形態Ｕのセンサディスペンシング器具。
【００９３】
代替の実施形態Ｚ
キャップが、ヒンジを介して本体に結合される、代替の実施形態Ｕのセンサディスペンシング器具。
【００９４】
代替の実施形態ＡＡ
キャップが閉鎖位置にないとき、ユーザに警告する検出機構をさらに含む、代替の実施形態Ｕのセンサディスペンシング器具。
【００９５】
代替の実施形態ＢＢ
閉鎖位置にあるキャップが、複数の試験センサを見えるようにする、代替の実施形態Ｕのセンサディスペンシング器具。
【００９６】
代替の実施形態ＣＣ
キャップが窓を含む、代替の実施形態ＢＢのセンサディスペンシング器具。
代替の実施形態ＤＤ
カートリッジがさらに、複数の試験センサについての較正情報を含む較正情報デバイスを含む、代替の実施形態Ｕのセンサディスペンシング器具。
【００９７】
代替の実施形態ＥＥ
複数の試験センサ（ストリップ）が、キャップ内で水平に積み重ねられる、代替の実施形態Ｕのセンサディスペンシング器具。
【００９８】
代替の実施形態ＦＦ
複数の試験センサ（ストリップ）が、キャップ内で垂直に積み重ねられる、代替の実施形態Ｕのセンサディスペンシング器具。
【００９９】
代替の実施形態ＧＧ
カートリッジが、完全にキャップ内に位置する、代替の実施形態Ｕのセンサディスペンシング器具。
【０１００】
代替の実施形態ＨＨ
試験センサレセプタクルから、複数の試験センサの１つを排出するようになされた排出機構をさらに含む、代替の実施形態Ｕのセンサディスペンシング器具。
【０１０１】
代替の実施形態ＩＩ
キャップが跳ね上げ蓋機構を含む、代替の実施形態Ｕのセンサディスペンシング器具。
代替の実施形態ＪＪ
液の分析物濃度を測定するようになされたセンサディスペンシング器具であって、
本体と、
開放位置と閉鎖位置の間を移動するようになされたキャップであり、キャップおよび本体が、閉鎖位置を形成すべく互いに合うようになされたキャップと、
複数の試験センサを含み、実質的にキャップ内に位置するカートリッジと、
試験センサレセプタクルと、
複数の試験センサを、自動的に、１つずつ試験センサレセプタクルへと進ませるようになされたセンサ前進機構と、
ランセットを含む穿刺デバイスと
を備えるセンサディスペンシング器具。
【０１０２】
代替の実施形態ＫＫ
ランセットの発射を準備するようになされたコッキングデバイスをさらに含む、代替の実施形態ＪＪのセンサディスペンシング器具。
【０１０３】
代替の実施形態ＬＬ
ランセットを発射するようになされた発射機構をさらに含む、代替の実施形態ＪＪのセンサディスペンシング器具。
【０１０４】
代替の実施形態ＭＭ
穿刺デバイスが、試験センサレセプタクルに隣接している、代替の実施形態ＪＪのセンサディスペンシング器具。
【０１０５】
代替の実施形態ＮＮ
穿刺デバイスが穿刺エンドキャップを含む、代替の実施形態ＪＪのセンサディスペンシング器具。
【０１０６】
代替の実施形態ＯＯ
本体が、複数のランセット、試験センサ、またはカートリッジを保管するようになされた保管コンパートメントを形成する、代替の実施形態ＪＪのセンサディスペンシング器具。
【０１０７】
代替の実施形態ＰＰ
複数の試験センサが電気化学的センサである、代替の実施形態ＪＪのセンサディスペンシング器具。
【０１０８】
代替の実施形態ＱＱ
複数のセンサが光学的センサである、代替の実施形態ＪＪのセンサディスペンシング器具。
【０１０９】
代替の実施形態ＲＲ
キャップが、本体から取外し可能であるようになされる、代替の実施形態ＪＪのセンサディスペンシング器具。
【０１１０】
代替の実施形態ＳＳ
本体が、上部表面および底部表面を有し、キャップが、本体の上部表面および底部表面と合うようになされる、代替の実施形態ＪＪのセンサディスペンシング器具。
【０１１１】
代替の実施形態ＴＴ
キャップが、ヒンジを介して本体に結合される、代替の実施形態ＪＪのセンサディスペンシング器具。
【０１１２】
代替の実施形態ＵＵ
閉鎖位置にあるキャップが、複数の試験センサを見えるようにする、代替の実施形態ＪＪのセンサディスペンシング器具。
【０１１３】
代替の実施形態ＶＶ
キャップが窓を形成する、代替の実施形態ＵＵのセンサディスペンシング器具。
代替の実施形態ＷＷ
カートリッジがさらに、複数の試験センサについての較正情報を含む較正情報デバイスを含む、代替の実施形態ＪＪのセンサディスペンシング器具。
【０１１４】
代替の実施形態ＸＸ
複数の試験センサ（ストリップ）が、キャップ内で垂直に積み重ねられる、代替の実施形態ＪＪのセンサディスペンシング器具。
【０１１５】
代替の実施形態ＹＹ
試験センサレセプタクルから、複数の試験センサの１つを排出するようになされた排出機構をさらに含む、代替の実施形態ＪＪのセンサディスペンシング器具。
【０１１６】
代替の実施形態ＺＺ
液の分析物濃度を測定するようになされたセンサディスペンシング器具であって、
本体と、
開放位置と閉鎖位置の間を移動するようになされたキャップであり、キャップおよび本体が、閉鎖位置を形成すべく互いに合うようになされたキャップと、
複数の試験センサを含み、実質的にキャップ内に位置するカートリッジと、
試験センサレセプタクルと、
複数の試験センサを、自動的に、１つずつ試験センサレセプタクルへと進ませるようになされたセンサ前進機構と
を備えるセンサディスペンシング器具。
【０１１７】
代替の実施形態ＡＡＡ
複数の試験センサが電気化学的センサである、代替の実施形態ＺＺのセンサディスペンシング器具。
【０１１８】
代替の実施形態ＢＢＢ
複数のセンサが光学的センサである、代替の実施形態ＺＺのセンサディスペンシング器具。
【０１１９】
代替の実施形態ＣＣＣ
キャップが、本体から取外し可能であるようになされる、代替の実施形態ＺＺのセンサディスペンシング器具。
【０１２０】
代替の実施形態ＤＤＤ
本体が、上部表面および底部表面を有し、キャップが、本体の上部表面および底部表面と合うようになされる、代替の実施形態ＺＺのセンサディスペンシング器具。
【０１２１】
代替の実施形態ＥＥＥ
キャップが、ヒンジを介して本体に結合される、代替の実施形態ＺＺのセンサディスペンシング器具。
【０１２２】
代替の実施形態ＦＦＦ
閉鎖位置にあるキャップが、複数の試験センサを見えるようにする、代替の実施形態ＺＺのセンサディスペンシング器具。
【０１２３】
代替の実施形態ＧＧＧ
キャップが窓を形成する、代替の実施形態ＦＦＦのセンサディスペンシング器具。
代替の実施形態ＨＨＨ
カートリッジがさらに、複数の試験センサについての較正情報を含む較正情報デバイスを含む、代替の実施形態ＺＺのセンサディスペンシング器具。
【０１２４】
代替の実施形態ＩＩＩ
複数の試験センサ（ストリップ）が、キャップ内で垂直に積み重ねられる、代替の実施形態ＺＺのセンサディスペンシング器具。
【０１２５】
代替の実施形態ＪＪＪ
試験センサレセプタクルから、複数の試験センサの１つを排出するようになされた排出機構をさらに含む、代替の実施形態ＺＺのセンサディスペンシング器具。
【０１２６】
代替のプロセスＫＫＫ
液の分析物濃度を測定するようになされたセンサディスペンシング器具を使用する方法であって、
本体、キャップ、カートリッジ、試験センサレセプタクル、センサ前進機構、ランセットを含む穿刺デバイスを含むセンサディスペンシング器具を提供する行為であり、キャップが、開放位置と閉鎖位置の間を移動するようになされ、キャップおよび本体が、閉鎖位置を形成すべく互いに合うようになされ、カートリッジが複数の試験センサを含み、実質的にキャップ内に配置される行為と、
複数の試験センサを１つずつ進ませるように、センサ前進機構を活動化する行為と、
試験センサを手動で取り外して、試験センサレセプタクル中に配置する行為と、
ランセットを用いて、液を生成する行為と、
液を試験センサ上に配置する行為と、
液の分析物濃度を測定する行為と
を含む方法。
【０１２７】
代替のプロセスＬＬＬ
ランセットを用いて、液を生成する行為が、コッキングデバイスを準備し、また発射機構を発射する行為を含む、代替のプロセスＫＫＫの方法。
【０１２８】
代替のプロセスＭＭＭ
キャップが、本体から取外し可能であるようになされる、代替のプロセスＫＫＫの方法。
【０１２９】
代替のプロセスＮＮＮ
本体が、上部表面および底部表面を有し、キャップが、本体の上部表面および底部表面と合うようになされる、代替のプロセスＫＫＫの方法。
【０１３０】
代替のプロセスＯＯＯ
キャップが、ヒンジを介して本体に結合される、代替のプロセスＫＫＫの方法。
代替のプロセスＰＰＰ
センサディスペンシング器具が、キャップが閉鎖位置にないとき、ユーザに警告する検出機構を含む、代替のプロセスＫＫＫの方法。
【０１３１】
代替のプロセスＱＱＱ
複数の試験ストリップが、キャップから水平に前進される、代替のプロセスＫＫＫの方法。
【０１３２】
代替のプロセスＲＲＲ
複数の試験ストリップが、キャップから垂直に前進される、代替のプロセスＫＫＫの方法。
【０１３３】
代替のプロセスＳＳＳ
試験センサを試験センサレセプタクルから排出機構を介して排出する行為をさらに含む、代替のプロセスＫＫＫの方法。
【０１３４】
代替のプロセスＴＴＴ
キャップが跳ね上げ蓋機構を含む、代替のプロセスＫＫＫの方法。
代替のプロセスＵＵＵ
液の分析物濃度を測定するようになされたセンサディスペンシング器具を使用する方法であって、
本体、キャップ、カートリッジ、試験センサレセプタクル、センサ前進機構を含むセンサディスペンシング器具を提供する行為であり、キャップが、開放位置と閉鎖位置の間を移動するようになされ、キャップおよび本体が、閉鎖位置を形成すべく互いに合うようになされ、カートリッジが、複数の試験センサを含み、実質的にキャップ内に配置される行為と、
複数の試験センサを１つずつ進ませるように、センサ前進機構を活動化する行為と、
試験センサを手動で取り外して、試験センサレセプタクル中に配置する行為と、
液を試験センサ上に配置する行為と、
液の分析物濃度を測定する行為と
を含む方法。
【０１３５】
代替のプロセスＶＶＶ
本体が、上部表面および底部表面を有し、キャップが、本体の上部表面および底部表面と合うようになされる、代替のプロセスＵＵＵの方法。
【０１３６】
代替のプロセスＷＷＷ
キャップが、ヒンジを介して本体に結合される、代替のプロセスＵＵＵの方法。
代替のプロセスＸＸＸ
センサディスペンシング器具が、キャップが閉鎖位置にないとき、ユーザに警告する検出機構をさらに含む、代替のプロセスＵＵＵの方法。
【０１３７】
代替のプロセスＹＹＹ
複数の試験ストリップが、キャップから水平に前進される、代替のプロセスＵＵＵの方法。
【０１３８】
代替のプロセスＺＺＺ
複数の試験ストリップが、キャップから垂直に前進される、代替のプロセスＵＵＵの方法。
【０１３９】
代替のプロセスＡＡＡＡ
試験センサを試験センサレセプタクルから排出機構を介して排出する行為をさらに含む、代替のプロセスＵＵＵの方法。
【０１４０】
代替のプロセスＢＢＢＢ
キャップが跳ね上げ蓋機構を含む、代替のプロセスＵＵＵの方法。
代替のプロセスＣＣＣＣ
液の分析物濃度を測定するようになされたセンサディスペンシング器具を使用する方法であって、
本体、キャップ、カートリッジ、試験センサレセプタクル、センサ前進機構、ランセットを含む穿刺デバイスを含むセンサディスペンシング器具を提供する行為であり、キャップが、開放位置と閉鎖位置の間を移動するようになされ、キャップおよび本体が、閉鎖位置を形成すべく互いに合うようになされ、カートリッジが、複数の試験センサを含み、実質的にキャップ内に配置される行為と、
センサ前進機構が複数の試験センサを１つずつ試験センサレセプタクルへと自動的に進ませるように、センサ前進機構を活動化する行為と、
ランセットを用いて液を生成する行為と、
液を試験センサ上に配置する行為と、
液の分析物濃度を測定する行為と
を含む方法。
【０１４１】
代替のプロセスＤＤＤＤ
ランセットを用いて液を生成する行為が、コッキングデバイスを準備し、また発射機構を発射する行為を含む、代替のプロセスＣＣＣＣの方法。
【０１４２】
代替のプロセスＥＥＥＥ
キャップが、本体から取外し可能であるようになされる、代替のプロセスＣＣＣＣの方法。
【０１４３】
代替のプロセスＦＦＦＦ
本体が、上部表面および底部表面を有し、キャップが、本体の上部表面および底部表面と合うようになされる、代替のプロセスＣＣＣＣの方法。
【０１４４】
代替のプロセスＧＧＧＧ
キャップが、ヒンジを介して本体に結合される、代替のプロセスＣＣＣＣの方法。
代替のプロセスＨＨＨＨ
センサディスペンシング器具が、キャップが閉鎖位置にないとき、ユーザに警告する検出機構を含む、代替のプロセスＣＣＣＣの方法。
【０１４５】
代替のプロセスＩＩＩＩ
試験センサを試験センサレセプタクルから排出機構を介して排出する行為をさらに含む、代替のプロセスＣＣＣＣの方法。
【０１４６】
代替のプロセスＪＪＪＪ
液の分析物濃度を測定するようになされたセンサディスペンシング器具を使用する方法であって、
本体、キャップ、カートリッジ、試験センサレセプタクル、センサ前進機構を含むセンサディスペンシング器具を提供する行為であり、キャップが、開放位置と閉鎖位置の間を移動するようになされ、キャップおよび本体が、閉鎖位置を形成すべく互いに合うようになされ、カートリッジが、複数の試験センサを含み、実質的にキャップ内に配置される行為と、
センサ前進機構が複数の試験センサを１つずつ試験センサレセプタクルへと自動的に進ませるように、センサ前進機構を活動化する行為と、
液を試験センサ上に配置する行為と、
液の分析物濃度を測定する行為と
を含む方法。
【０１４７】
代替のプロセスＫＫＫＫ
本体が、上部表面および底部表面を有し、キャップが、本体の上部表面および底部表面と合うようになされる、代替のプロセスＪＪＪＪの方法。
【０１４８】
代替のプロセスＬＬＬＬ
キャップが、ヒンジを介して本体に結合される、代替のプロセスＪＪＪＪの方法。
代替のプロセスＭＭＭＭ
センサディスペンシング器具が、キャップが閉鎖位置にないとき、ユーザに警告する検出機構を含む、代替のプロセスＪＪＪＪの方法。
【０１４９】
代替のプロセスＮＮＮＮ
試験センサを試験センサレセプタクルから排出機構を介して排出する行為をさらに含む、代替のプロセスＪＪＪＪの方法。
【０１５０】
本発明は、例示の実施形態の詳細を参照して説明されてきたが、これらの詳細は、添付の特許請求の範囲で定義された本発明の範囲を限定することを意図していない。例えば、本センサディスペンシング器具を、血糖以外の液を試験するために使用することができる。実際、本センサディスペンシング器具は、試薬材料を用いて分析できる任意のタイプの化学液（ｃｈｅｍｉｓｔｒｙ  ｆｌｕｉｄ）の分析に関連して使用することができる。
【図面の簡単な説明】
【０１５１】
【図１ａ】一実施形態による閉鎖位置にあるセンサディスペンシング器具の正面図である。
【図１ｂ】図１ａのセンサディスペンシング器具の側面図である。
【図１ｃ】図１ａのセンサディスペンシング器具の底面図である。
【図１ｄ】開放位置にある図１ａのセンサディスペンシング器具の斜視底面図である。
【図１ｅ】試験センサが挿入された開放位置にある図１ａのセンサディスペンシング器具の正面図である。
【図２ａ】他の実施形態による開放位置にあるセンサディスペンシング器具の正面図である。
【図２ｂ】図２ａのセンサディスペンシング器具の斜視上面図である。
【図３ａ】他の実施形態による、キャップが開放位置にあるセンサディスペンシング器具の正面図である。
【図３ｂ】キャップが閉鎖位置にある図３ａのセンサディスペンシング器具の側面図である。
【図３ｃ】キャップが閉鎖位置にある図３ａのセンサディスペンシング器具の反対側の側面図である。
【図３ｄ】キャップが閉鎖位置にある図３ａのセンサディスペンシング器具の正面図である。
【図４ａ】さらに他の実施形態による開放位置にあるセンサディスペンシング器具の正面図である。
【図４ｂ】図４ａのセンサディスペンシング器具の側面図である。
【図５】一実施形態によるカートリッジの正面図である。
【図１ａ】
2008522786.tif 000003
【図１ｂ】
2008522786.tif 000004
【図１ｃ】
2008522786.tif 000005
【図１ｄ】
2008522786.tif 000006
【図１ｅ】
2008522786.tif 000007
【図２ａ】
2008522786.tif 000008
【図２ｂ】
2008522786.tif 000009
【図３ａ】
2008522786.tif 000010
【図３ｂ】
2008522786.tif 000011
【図３ｃ】
2008522786.tif 000012
【図３ｄ】
2008522786.tif 000013
【図４ａ】
2008522786.tif 000014
【図４ｂ】
2008522786.tif 000015
【図５】
2008522786.tif 000016
【国際調査報告】
2008522786.tif 000017
2008522786.tif 000018